(57)【要約】【目的】安価な広告宣伝費用で、広範囲に亘る顧客に高い広告宣伝効果を発揮できる名刺媒体による広告宣伝方法及び広告宣伝用名刺の提供。【構成】財、サービスの生産若しくは販売或いは役務の提供業者で且その財、サービス若しくは役務の広告宣伝を希望するクライアント情報と、クライアントの業種以外の企業若しくは団体からなり、且自社名刺の裏面にクライアントの広告掲載を許諾する掲載業者情報とにより、クライアントの広告条件と掲載業者の掲載条件に適合するクライアントと掲載業者を選択し、双方の広告掲載につき確認諾成をなし、広告原稿及び名刺原稿を製版印刷して広告宣伝用名刺を作成し、この広告宣伝用名刺を掲載業者が事業活動で交換配布することによりクライアントの広告宣伝をなす名刺媒体による広告宣伝方法、及び広告宣伝用名刺の広告裏面の適宜位置に広告掲載についての注釈文言が付記されてなる広告宣伝用名刺。【選択図】　図１
2004145233.tif 000002
【特許請求の範囲】
【請求項１】
財、サービスの生産若しくは販売或いは役務の提供業者で、その財、サービス若しくは役務の広告宣伝を希望するクライアントの情報を入力且ファイルするクライアント情報プロセスと、クライアント以外の業種に係る企業若しくは団体で、且自社の名刺の裏面にクライアントの広告掲載を許諾する掲載業者の情報を入力且ファイルする掲載業者情報プロセスと、該クライアント情報プロセス及び掲載業者プロセスより、クライアントの広告条件と掲載業者の掲載条件とを照合させて適合するクライアント及び掲載業者を選択する照合選択プロセスと、該照合選択プロセスで選択されたクライアント及び掲載業者の確認諾成を図る諾成プロセスと、該諾成に基づきクライアントの広告原稿及び掲載業者の名刺原稿から電子製版及び印刷をなす製版印刷プロセスと、この製版印刷プロセスで作成された広告宣伝用名刺を掲載業者の社員が交換配布することによりクライアントの広告宣伝をなすことを特徴とする名刺媒体による広告宣伝方法。
【請求項２】
広告宣伝をなすクライアントの広告内容が、該クライアントの業種以外の企業若しくは団体が使用する名刺の裏面に印刷されてなるとともに、該クライアントの広告掲載についての注釈文言が名刺裏面の適宜位置に付記されてなることを特徴とする広告宣伝用名刺。
【発明の詳細な説明】
【０００１】
【産業上の利用分野】
本発明は財やサービスの生産若しくは販売、或いは役務の提供業者がクライアントとして、該クライアントの業種以外の企業若しくは団体の名刺裏面に広告掲載をして広告宣伝をなす、名刺媒体による広告宣伝方法及びその広告宣伝用名刺に係る。
【０００２】
【従来技術】
企業活動における財やサービスの生産若しくは販売或いは役務の提供業者においては、可能な限り広範囲の顧客に且多量に購買利用されることが望まれる。
これがためには顧客にその財やサービス若しくは役務等についての価値観を獲得せしめること、及び今一つはその財やサービス或いは役務の存在と利用手段を認識させることにあることから、財やサービスの生産若しくは販売業者或いは役務の提供業者においては毎年莫大な広告宣伝費用を投下し顧客に対する価値観の獲得や存在の認識を図ってきている。
【０００３】
ところで広告宣伝の手段としては、その生産される財やサービス或いは提供される役務等により対象とする顧客層や地域或いは趣味や嗜好性等によっても著しく異なるものであって、一般消費財の如く流通市場において品質や性能、包装形態及びコスト等の略同等のものが多種競合する中では、顧客が具体的に消費財を購買選択する購買動機はその殆んどが衝動的要因とされている。
これがため消費財の生産若しくは販売業者は、平時より広範囲に亘る顧客の潜在心理に自社のブランドやイメージを印象づける必要上から、テレビやラジオ或いは新聞等のマスメディアで繰返し広告宣伝をなすことが強いられている。
【０００４】
更に耐久消費財は、その機能や性能に加えて耐久使用性や信頼性、或いはアフターサービス等が購買されるものであるため、広告媒体もマスメディアや専門誌或いはチラシ等が使用されるとともに、特にメーカー並びに販売業者の知名性や信頼性も購買に大きな影響を与えると言われている。
加えてサービスや役務提供は顧客がその満足度を購買するものであって、該サービスや役務提供に係る宣伝媒体は一般的に新聞や雑誌等が用いられている。
【０００５】
然るに現状の広告宣伝において消費財の如くテレビ、ラジオ、新聞等のマスメディアによる手段は、極めて広範囲の顧客に対して広告内容が発信されるものの、仮令その広告内容が看取されたり聴取されても短時に忘失されるため莫大な広告費用を以って繰返しなさねばならぬばかりか、該広告内容は一方的発信であるから広告宣伝効果の把握が極めて曖昧となる。
更に耐久消費財において顧客層を限定する新聞や雑誌等の媒体を用いても、かかる媒体では発行数が少ないうえ一方的な発信に過ぎず、且機能や性能とともに耐久使用性や信頼性或いはアフターサービス等が購買要因として重視されるものではメーカーや販売業者、或いは紹介者の信頼性や信用が大きく影響する。加えてサービスや役務提供では、該サービスや役務の満足度が重要な購買要因となるため、利用者や紹介者の推奨等が大きく影響する結果となっている。
【０００６】
かかる実情に鑑み、発明者は安価な費用で高い広告宣伝効果を実現しうる方法につき研究を重ねた結果、企業若しくは団体がその事業活動に伴い社員に膨大数使用させる名刺の表面には、その企業や団体の名称並びに所在地及び連絡先の他にその社員の所属組織、役職、氏名或いは社章等が明記されてなるもののその裏面は白紙のものが極めて多いこと、及び交換配布された名刺は長期に亘って大切に保管されるものであり、更には財、サービス或いは役務の購買や利用に際して、当該財、サービス若しくは役務提供業者からの直接的広告宣伝活動や販売活動では購買者に購買威圧がかかり易いこと等を解明し本発明に至った。
【０００７】
【発明が解決しようとする課題】
本発明は安価な広告宣伝費用で、広範囲に亘る顧客に高い広告宣伝効果を発揮することの可能な名刺媒体による広告宣伝方法及び広告宣伝用名刺を提供することにある。
【０００８】
【課題を解決するための手段】
上述の課題を解決するために本発明が用いた技術的手段は、財やサービスを生産若しくは販売する業者若しくは役務提供業者で、且その財、サービス若しくは役務について広告宣伝をなすクライアントの広告内容、広告条件等の情報を入力し且ファイルするクライアント情報プロセスと、クライアントの業種以外の企業若しくは団体からなり、且自社の名刺裏面にクライアントの広告掲載を許諾する掲載業者の名刺内容並びに掲載条件や業務活動範囲、社員数等の掲載業者情報を入力し且ファイルする掲載業者情報プロセスと、このクライアント情報プロセスにおける広告条件と掲載業者情報プロセスにおける掲載条件とを照合選択プロセスで照合させて適合するクライアントと掲載業者を選択する。
【０００９】
そして照合選択されたクライアント及び掲載業者に確認する諾成プロセスで双方の適合条件を提示し広告掲載について確認し諾成を図る。
かくして双方の諾成に基づき、クライアント情報ファイルからは広告内容に係る原稿及び掲載業者ファイルより掲載業者の名刺内容に係る原稿を製版印刷プロセスに送稿し、電子製版及び印刷により広告宣伝用名刺を作成し且掲載業者への納品とクライアントへの報告をなし、掲載業者はこの広告宣伝用名刺を以って業務活動をなすことにより、クライアントの広告を併せておこなう名刺媒体による広告宣伝方法の構成に存する。
【００１０】
更にはクライアントの広告内容が該クライアントの業種以外の企業若しくは団体が使用する名刺の裏面に印刷され、且このクライアントの広告掲載についての注釈文言が名刺裏面の適宜位置に付記された広告宣伝用名刺の構成に存する。
【００１１】
【作用】
本発明は上述の如き構成からなるため以下のような作用を有する。即ち財やサービスを生産若しくは販売する業者或いは役務を提供する業者で、該財やサービス或いは役務の広告宣伝をなす業者をクライアントとして該クライアントの名称や所在地を初め広告内容、広告掲載条件、決済条件等のクライアント情報がクライアント情報プロセスにおいて入力され且ファイルされており、更にクライアントの業種以外の企業若しくは団体からなり、該企業や団体が使用する名刺の裏面にクライアントの広告掲載を許諾する業者を掲載業者として、該掲載業者の名称や所在地を初め、掲載条件、その業務内容や活動範囲、社員数、決済条件等の掲載業者情報が掲載業者情報プロセスにより入力且ファイルされてなるから、広告条件と適合する掲載条件の掲載業者を簡便に照合し選択でき、而もこの照合選択された情報をクライアント及び掲載業者に送信することで広告掲載についての相互の諾成確認も容易になしえる。
【００１２】
そして諾成確認後は、クライアント情報ファイルから広告原稿及び掲載業者情報ファイルから名刺原稿とを出力させて製版印刷プロセスに送稿させることにより、その表面には掲載業者の名刺原稿で且その裏面には、クライアントの広告内容で印刷しえるよう電子製版がなされたうえ、所要枚数が印刷されて掲載業者に配送され而もその配送内容がクライアントにも報告され確認される。
かくして掲載業者に配送された名刺は、予めクライアントが希望する顧客層や専門分野或いは地域において、該掲載業者の業務活動に伴って交換配布されるとともに、この交換配布は掲載業者の本来的業務の関係で交換されるため雑誌やチラシの如き媒体とは異なり表裏面に亘って看取され、而も裏面の広告は掲載業者と異なる財、サービス若しくは役務であるため強い注意と感心を以って感得され、且交換配布された名刺は長期に亘って保管されるため広告効果が極めて大きなものとなる。
【００１３】
【実施例】
以下に本発明実施例を図とともに詳細に説明すれば、図１は本発明名刺媒体による広告宣伝方法のシステム説明図であって、クライアント情報プロセス１においては、財やサービスの生産若しくは販売する業者若しくは役務を提供する業者で、且その財やサービス若しくは役務について広告宣伝をなすクライアント１Ａのクライアント情報１Ｂ、即ち広告宣伝に供する広告内容を初め広告対象とする顧客層、広告地域や特定分野、交換配布枚数や広告予算等の広告条件、広告期間や決済条件等に亘るクライアント情報１Ｂを入力のうえクライアント情報ファイル１Ｃにファイルさせるプロセスであって、該クライアント情報１Ｂについては営業活動による募集を初め広告募集或いは紹介や口コミ等による手段を以って収集し整理のうえ入力される。
そして当然のことながら入力されたクライアント情報１Ｂについては、クライアント１Ａの名称や所在地の変更や吸収合併若しくは分社若しくは倒産等に伴う変更、或いは広告条件の改定や広告すべき財、サービス或いは役務内容の変更等がなされるものであるから、該クライアント情報ファイル１Ｃは随時にメンテナンスを施す必要がある。
【００１４】
更に掲載業者プロセス２においてはクライアント１Ａの業種以外の企業や団体からなり且その業務活動において使用する自社名刺の裏面に、クライアント１Ａの広告内容の掲載を許諾する業者を掲載業者２Ａとし、該掲載業者２Ａの名称や所在地を初め、その業務分野と活動範囲、対象顧客層若しくはマーケット、社員数並びに交換配布する名刺枚数等に亘る掲載業者情報２Ｂを収集整理のうえ、その掲載業者ファイル２Ｃに入力させるプロセスであって、該掲載業者情報２Ｂの収集には営業活動による募集や広告募集或いは紹介や口コミ等による手段が用いられる。
【００１５】
かくしてクライアント情報１Ｂ並びに掲載業者情報２Ｂが収集され入力ファイルされたうえは、クライアント情報ファイル１Ｃ及び掲載業者ファイル２Ｃから、クライアント１Ａの希望する広告条件と掲載業者２Ａの掲載条件とを照合し、適合するクライアント１Ａと掲載業者２Ａを照合選択プロセス３において選択する。
この照合選択プロセス３においては、クライアント情報ファイル１Ｃ内にファイルされてなるクライアント情報１Ｂ内の広告条件、即ち広告対象顧客層、広告地域、広告宣伝用名刺の交換配布枚数及び広告予算等の項目をそれぞれ５乃至１０ランクの細項目に区分し、他方掲載業者情報ファイル２Ｃ内にファイルされてなる掲載条件、即ち業務活動に係る対象顧客層、活動地域、社員数及び交換配布名刺枚数及び掲載予算等の項目を広告条件と同様にそれぞれ５乃至１０ランクの細項目に区分し、これら細項目をマトリックスにして照合ディスプレイ３Ａ面でそれぞれの条件適合を照合させて、クライアント１Ａと掲載業者２Ａを予め選択する。
【００１６】
かかる照合選択プロセス３により照合選択された照合選択結果は、クライアント１Ａ及び掲載業者２Ａとの広告掲載諾成を得るため、諾成プロセス４によりそれぞれクライアント１Ａ及び掲載業者２Ａにフィードバックされる。
この諾成プロセス４においては、照合選択プロセス３による照合選択結果は、クライアント１Ａの広告条件と掲載業者２Ａの掲載条件との間の乖離を充足し相互の諾成を図るため、フィードバックされた照合選択結果に基づきクライアント１Ａの広告条件若しくは掲載業者２Ａの掲載条件を適宜に変更、修正若しくは縮少させて諾成合意を図ることがなされる。
【００１７】
クライアント１Ａ及び掲載業者２Ａにおいて広告掲載について諾成合意が確認された場合には、クライアント情報ファイル１Ｃ内に予めファイルされてなるクライアント１Ａの広告原稿、及び掲載業者情報ファイル２Ｃ内にファイルされてなる掲載業者２Ａの名刺原稿が出力されたうえ製版印刷プロセス５に送信される。
【００１８】
この製版印刷プロセス５は、諾成プロセス４より送信されたクライアント１Ａの広告原稿及び掲載業者２Ａの名刺原稿に基づき製版並びに印刷をなし、表面には掲載業者２Ａの名刺原稿に基づく印刷及び裏面にはクライアント１Ａの広告原稿が印刷されてなる広告宣伝用名刺６を所望枚数印刷作成し、掲載業者２Ａに配送し且その報告がクライアント１Ａにもなされる。
かかる場合において製版印刷プロセス５は、本発明システムと一体的に製版印刷装置５Ａを設けても、外部印刷業者を活用しても特段に制約はない。
【００１９】
製版印刷プロセス５はクライアント１Ａと掲載業者２Ａとの広告掲載に関して諾成された場合に、クライアント情報ファイル１Ｃからの広告原稿及び掲載業者情報ファイル２Ｃからの名刺原稿により、短時に広告宣伝用名刺６を印刷作成のうえ掲載業者２Ａに引渡しすることが望まれるため、電子製版によるデジタル印刷が好都合であって、該デジタル印刷も現在では比較的普及化しつつあり、例えばマッキントッシュ社のデジタル印刷ソフト等の利用が挙げられる。
【００２０】
而してこの印刷作成された広告宣伝用名刺６は、掲載業者２Ａの事業活動に伴って広範囲の顧客と交換され若しくは配布されるもので、該広告宣伝用名刺６の交換や配布には掲載業者２Ａの社員と相手企業の社員や顧客等との対面対話を介してなされるため該広告宣伝名刺６の表面はもとより裏面にまで亘って十分に看取される。
そして従来の名刺においては、専ら企業や団体等の名称や所在地に加え組織、役職、氏名等がその表面ばかりか裏面にまで併記されてなるものであるが、本発明において使用される広告宣伝用名刺６は、その裏面６Ｂに印刷されるクライアントの広告内容が、表面６Ａに印刷された掲載業者２Ａとは全く異なる財、サービス、役務等であるから、本来的掲載業者２Ａの業務活動に伴って交換配布された相手先企業や顧客は該裏面広告を看取した場合に一瞬躊躇し若しくは困惑し或いは疑念を抱くことが考えられる。
【００２１】
そこで該広告宣伝用名刺６の裏面６Ｂの適宜位置に、該広告掲載についての注釈を付記することが望まれるものであって、この広告掲載についての注釈文言６Ｃについては特段の制約はなく、該広告掲載の理由が判断されるものであれば良く、具体例を挙げれば（この裏面は広告主のために開放されたスペースです）や（この裏面の広告は広告主からの要請によるものです）等の如く単に裏面を開放している注釈文によるものや（この広告の製品、商品、サービス、役務をお勧めいたします）や（この広告の製品、商品、サービス、役務を御利用ください）或いは（この広告の製品、商品、サービス、役務を支援しております）等の販売促進的意思が包含された注釈文言も考慮される。
【００２２】
図２は広告宣伝用名刺表面の例示図、図３は広告宣伝用名刺の裏面の例示図であって、該広告宣伝用名刺６の表面６Ａには掲載業者２Ａとして自動車メーカーの掲載原稿が印刷されている。
他方裏面６Ｂには飲食提供業者３社の各個広告がグルメ探訪会社をクライアント１Ａとしてその広告原稿が印刷されている。
かかる場合に掲載業者２Ａは本来業務として自動車を販売するために、企業や顧客に該広告宣伝用名刺を交換配布するものであり、他方自動車の購買者は自動車利用としてドライブがあり、健康指向やグルメ指向下においては大きな広告宣伝効果が期待されることとなる。
【００２３】
【発明の効果】
本発明は以上述べたように財やサービス或いは役務の生産若しくは販売或いは提供をなす業者で、且その財やサービス或いは役務の広告宣伝をおこなうクライアントの広告条件に適合する広告を、クライアントの業種以外の企業若しくは団体からなる掲載業者で且その業務活動に使用する名刺の裏面を利用して広告掲載するものであり、而もクライアントの広告条件は予めクライアント情報ファイルに入力されており、且広告掲載を許諾する掲載業者の掲載条件についても掲載業者情報ファイルに入力されており、この相互の条件を照合させ且確認諾成されたうえ広告宣伝用名刺が作成されるため、クライアントは意図する掲載業者を選択でき且対象とする企業や顧客に所望の交換配布枚数を以って広告宣伝が効率良くなされることとなる。
【００２４】
更にこの広告宣伝用名刺は、掲載業者の本来的業務活動に伴って交換配布されるため、交換され若しくは配布された相手企業者や顧客にはその特異感により注意を以って看取されるとともに、注釈文言の付記により購買勧誘や強制も無いため素直に受入れられ、且掲載業者の業務活動で交換配布されるものであるから該広告宣伝用名刺が長期に保管されることとも相俟って、長期に亘り広告宣伝効果が働くことにもなる。
加えて掲載業者においては莫大な名刺作成費用の削減ばかりか、交換配布枚数によっては広告料も収受出来、且クライアントにおいても安価な広告宣伝費用で効果的広告宣伝が可能となる等、極めて新規且特長の多い名刺媒体による広告宣伝方法及び広告宣伝用名刺といえる。
【図面の簡単な説明】
【図１】本発明名刺媒体による広告宣伝方法のシステム説明図である。
【図２】広告宣伝用名刺の表面例示図である。
【図３】広告宣伝用名刺の裏面例示図である。
【符号の説明】
１　　クライアント情報プロセス
１Ａ　クライアント
１Ｂ　クライアント情報
１Ｃ　クライアント情報ファイル
２　　掲載業者情報プロセス
２Ａ　掲載業者
２Ｂ　掲載業者情報
２Ｃ　掲載業者情報ファイル
３　　照合選択プロセス
３Ａ　照合ディスプレイ
４　　諾成プロセス
５　　製版印刷プロセス
５Ａ　製版印刷装置
６　　広告宣伝用名刺
６Ａ　広告宣伝用名刺の表面
６Ｂ　広告宣伝用名刺の裏面
６Ｃ　注釈文言
【図１】
2004145233.tif 000003
【図２】
2004145233.tif 000004
【図３】
2004145233.tif 000005